(57)【要約】【課題】  内蔵の二次電池と複数の外部電源から駆動可能な電子機器において、外部電源により二次電池を充電している状態においても、他の外部電源により電子機器を動作させる事が可能で、充電電流を監視しながら、充電途中に外部電源を入れ替える事が可能な電子機器を提供する。【解決手段】  内蔵の二次電池と複数の外部電源からの駆動が可能な電子機器において、該電子機器は、電圧一定で定電流制限、或いは定電力制限のある第一の外部電源を接続可能な第一の接続部と、第一の外部電源以外で、制限がより大きい第二の外部電源を接続可能な第二の接続部と、前記第一、或いは第二の外部電源から前記二次電池を充電する場合の充電電圧、及び充電電流を制御するための充電制御回路と、各電源電圧が接続されている事を認識し、前記電子機器を駆動させる場合の電源供給元と、前記二次電池を充電する場合の電源供給元を、前記二次電池、前記第一の外部電源、前記第二の外部電源から切り替えて制御する電源切替制御回路から構成されている。【選択図】        図１
2006115656.tif 000002
【特許請求の範囲】
【請求項１】
内蔵の二次電池と複数の外部電源からの駆動が可能な電子機器において、該電子機器は、電圧一定で定電流制限、或いは定電力制限のある第一の外部電源を接続可能な第一の接続部と、
第一の外部電源以外で、制限がより大きい第二の外部電源を接続可能な第二の接続部と、
前記第一、或いは第二の外部電源から前記二次電池を充電する場合の充電電圧、及び充電電流を制御するための充電制御回路と、
各電源電圧が接続されている事を認識し、前記電子機器を駆動させる場合の電源供給元と、前記二次電池を充電する場合の電源供給元を、前記二次電池、前記第一の外部電源、前記第二の外部電源から切り替えて制御する電源切替制御回路から構成され、
前記第一の外部電源から前記電子機器に電源を供給している状態において、
前記第二の外部電源から前記二次電池を充電する事が可能である事を特徴とする電子機器の電源制御方法。
【請求項２】
内蔵の二次電池と複数の外部電源からの駆動が可能な電子機器において、該電子機器は、電圧一定で定電流制限、或いは定電力制限のある第一の外部電源を接続可能な第一の接続部と、
第一の外部電源以外で、制限がより大きい第二の外部電源を接続可能な第二の接続部と、
前記第一、或いは第二の外部電源から前記二次電池を充電する場合の充電電圧、及び充電電流を制御するための充電制御回路と、
各電源電圧が接続されている事を認識し、前記電子機器を駆動させる場合の電源供給元と、前記二次電池を充電する場合の電源供給元を、前記二次電池、前記第一の外部電源、前記第二の外部電源から切り替えて制御する電源切替制御回路から構成され、
前記第一の外部電源から前記電子機器に電源を供給し、前記第二の外部電源から前記二次電池を充電している状態で、
充電電流値が前記第一の外部電源から供給可能な電流閾値を下回った場合に、
前記電子機器への電力供給を第二の外部電源に、前記二次電池への充電電力供給を前記第一の外部電源に、それぞれ切り替えて制御する事が可能である事を特徴とする電子機器の電源制御方法。
【発明の詳細な説明】
【技術分野】
【０００１】
本発明は、内蔵の二次電池と複数の外部電源からの駆動が可能な電子機器の電源制御方法に関するものである。
【背景技術】
【０００２】
従来、複数の電源から電子機器を駆動させる際の切替制御方法として、例えば特許文献１にあるように、内蔵の二次電池と外部電源の各電源供給手段からの受電切替と、各外部電源から内蔵の二次電池への充電切替があった。
【特許文献１】特開２００１−３３９８５０号公報
【発明の開示】
【発明が解決しようとする課題】
【０００３】
従来の撮像装置は、各外部電源から内蔵の二次電池への充電中に、他の外部電源で電子機器を駆動させる事ができなかった。例えば、ＡＣ電源で内蔵の二次電池を充電している際に、ＵＳＢのＶＢＵＳから電源を供給し、ホストＰＣと通信する事はできない。また、各外部電源から内蔵の二次電池への充電中に、充電電流を監視し、充電途中で電子機器が充電供給元を切り替える制御方法がなかった。例えばＵＳＢは電源電圧が５Ｖで、５００ｍＡの電流制限があり、内蔵の二次電池を充電する場合、ＡＣ電源で充電する場合と比べて充電時間が長くなる可能性がある。また、電子機器に電力供給する場合も、電力不足により動作を制限しなければいけない可能性がある。上述した２点を改善する事が本発明の課題である。
【０００４】
本願の請求項１に記載した発明では、第一の外部電源が内蔵の二次電池を充電している状態において、第二の外部電源が電子機器を駆動させる事が可能な電子機器の電源制御方法を提供する事を第一の目的とする。
【０００５】
本願の請求項２に記載した発明では、電圧一定で定電流制限、或いは定電力制限のある第一の外部電源が電子機器に電力を供給し、第一の外部電源以外で、制限がより大きい第二の外部電源が内蔵の二次電池を充電する状態において、充電電流値が前記第一の外部電源から供給可能な電流閾値を下回った場合に、前記電子機器への電力供給を第二の外部電源に、前記二次電池への充電電力供給を前記第一の外部電源に、それぞれ切り替えて制御する事が可能な電子機器の電源制御方法を提供する事を第二の目的とする。
【課題を解決するための手段】
【０００６】
内蔵の二次電池と複数の外部電源からの駆動が可能な電子機器において、該電子機器は、電圧一定で定電流制限、或いは定電力制限のある第一の外部電源を接続可能な第一の接続部と、
第一の外部電源以外で、制限がより大きい第二の外部電源を接続可能な第二の接続部と、
前記第一、或いは第二の外部電源から前記二次電池を充電する場合の充電電圧、及び充電電流を制御するための充電制御回路と、
各電源電圧が接続されている事を認識し、前記電子機器を駆動させる場合の電源供給元と、前記二次電池を充電する場合の電源供給元を、前記二次電池、前記第一の外部電源、前記第二の外部電源から切り替えて制御する電源切替制御回路から構成され、
前記第一の外部電源から前記電子機器に電源を供給している状態において、
前記第二の外部電源から前記二次電池を充電する事が可能な電子機器の電源制御方法。
【０００７】
内蔵の二次電池と複数の外部電源からの駆動が可能な電子機器において、該電子機器は、電圧一定で定電流制限、或いは定電力制限のある第一の外部電源を接続可能な第一の接続部と、
第一の外部電源以外で、制限がより大きい第二の外部電源を接続可能な第二の接続部と、
前記第一、或いは第二の外部電源から前記二次電池を充電する場合の充電電圧、及び充電電流を制御するための充電制御回路と、
各電源電圧が接続されている事を認識し、前記電子機器を駆動させる場合の電源供給元と、前記二次電池を充電する場合の電源供給元を、前記二次電池、前記第一の外部電源、前記第二の外部電源から切り替えて制御する電源切替制御回路から構成され、
前記第一の外部電源から前記電子機器に電源を供給し、前記第二の外部電源から前記二次電池を充電している状態で、
充電電流値が前記第一の外部電源から供給可能な電流閾値を下回った場合に、
前記電子機器への電力供給を第二の外部電源に、前記二次電池への充電電力供給を前記第一の外部電源に、それぞれ切り替えて制御する事が可能な電子機器の電源制御方法。
【発明の効果】
【０００８】
本願の請求項１に記載した発明では、第一の外部電源が内蔵の二次電池を充電している状態において、第二の外部電源が電子機器を駆動させる事が可能な電子機器を提供する事ができる。
【０００９】
本願の請求項２に記載した発明では、電圧一定で定電流制限、或いは定電力制限のある第一の外部電源が電子機器に電力を供給し、第一の外部電源以外で、制限がより大きい第二の外部電源が内蔵の二次電池を充電する状態において、充電電流値が前記第一の外部電源から供給可能な電流閾値を下回った場合に、前記電子機器への電力供給を第二の外部電源に、前記二次電池への充電電力供給を前記第一の外部電源に、それぞれ切り替えて制御する事が可能な電子機器を提供する事ができる。
【発明を実施するための最良の形態】
【００１０】
以下、本発明の実施の形態について図を用いて説明する。
【実施例】
【００１１】
図１は、本発明の特徴を最もよく表す図面であり、同図にあるように、電子機器内に格納できる二次電池１００と、第一の外部電源を接続可能な接続部１０１と、第二の外部電源を接続可能な接続部１０２と、前記第一、或いは第二の外部電源から前記二次電池を充電する場合の充電電圧、及び電流を制御するための充電制御回路１０３と、電子機器を駆動させる場合の電源供給元と、前記二次電池を充電する場合の電源供給元を、前記二次電池、前記第一の外部電源、前記第二の外部電源から切り替えて制御する、電源切替制御回路１０４と、電子機器の動作ブロック１０５から構成される電子機器に関するものである。
【００１２】
本発明の一実施形態としてデジタルカメラを用いて説明する。
【００１３】
図２は、デジタルカメラ２００とパーソナルコンピュータ２０１をＵＳＢインターフェースを用いて接続し、ＡＣ電源２０２と前記デジタルカメラ２００を接続した場合の図面である。
【００１４】
図３は、前記デジタルカメラ２００の構成図であり、前記デジタルカメラ２００に内蔵する二次電池３００と、第一の外部電源であるＵＳＢ電源３０１と、第二の外部電源であるＡＣ電源３０２と、前記二次電池３００と前記ＵＳＢ電源３０１と前記ＡＣ電源３０２の各電源を監視し、切り替えて制御するための電源切替制御回路３０３と、前記二次電池３００を充電する場合の充電電圧、及び電流を制御、及び監視するための充電制御回路３０４と、シャッタースイッチやメニュー選択に用いるボタンなどからなる操作系ブロック３０５と、画像処理を行ったりＵＳＢドライバや前記デジタルカメラ２００全体を制御する制御ブロック３０６と、画像などのデータを記録できるメモリーカード３０７と、ストロボ関係のブロック３０８と、ズームやフォーカスなどのメカブロック３０９と、撮像素子などの撮像ブロック３１０と、画像を表示するＬＣＤブロック３１１から構成されている。
【００１５】
例えば、前記ＵＳＢ電源３０１のように、定電流制限、或いは定電力制限のある前記第一の外部電源は、上述した、前記操作系ブロック３０５と、前記制御ブロック３０６と、前記メモリーカード３０７といった消費電力が少ないブロックのみに電力供給が可能であり、上述した、前記ストロボ関係のブロック３０８と、前期メカブロック３０９と、前記撮像ブロック３１０と、前記ＬＣＤブロック３１１といった消費電力の多いブロックには電力が供給できない。また、前記ＵＳＢ電源３０１が前記二次電池３００を充電する場合、電流制限により、前記ＡＣ電源３０２の急速充電電流値まで電力供給できないため、前記ＡＣ電源３０２から充電する場合と比較して充電時間が長くなる。
【００１６】
本発明の電子機器は、該電子機器に前記二次電池３００と、第一の外部電源である前記ＵＳＢ電源３０１と、第二の外部電源である前記ＡＣ電源３０２が接続され、かつ、前記ＡＣ電源３０２から前記電子機器の動作ブロックに電力供給を行っている状態において、前記二次電池３００と前記ＵＳＢ電源３０１が接続されている事を前記電源切替制御回路３０３にて認識し、前記ＵＳＢ電源３０１から前記二次電池３００を充電する事ができる。この場合、前記充電制御回路３０４にて、充電電流を監視しながら前記ＵＳＢ電源３０１の許容電力範囲内での充電制御を行う。
【００１７】
本発明の電子機器は、該電子機器に前記二次電池３００と、第一の外部電源である前記ＵＳＢ電源３０１と、第二の外部電源である前記ＡＣ電源３０２が接続され、かつ、前記ＵＳＢ電源３０１から前記電子機器の動作ブロックに電力供給を行っている状態において、前記二次電池３００と前記ＡＣ電源３０２が接続されている事を前記電源切替制御回路３０３にて認識し、前記ＡＣ電源３０２から前記二次電池３００を充電する事ができる。この場合、前記充電制御回路３０４にて、充電電流を監視しながら前記ＡＣ電源３０２の許容電力範囲内での充電制御を行う。充電電流値が前記ＵＳＢ電源３０１で供給可能な電流閾値を下回ると、電子機器の動作ブロックへの電力供給を前記ＡＣ電源３０２で行い、前記二次電池３００への充電のための電力供給を前記ＵＳＢ電源３０１で行うよう、前記電源切替制御回路３０３にて切り替えることができる。
【図面の簡単な説明】
【００１８】
【図１】本発明の電源制御方法を備えた電子機器のブロック図である。
【図２】本発明に係るデジタルカメラを、パーソナルコンピュータとＵＳＢとＡＣ電源を使用して接続する場合の図面である。
【図３】本発明に係る実施の形態を説明するための、デジタルカメラの構成図である。
【図４】本発明に係る実施の形態の、デジタルカメラの動作を説明するためのフローチャート図（１）
【図５】本発明に係る実施の形態の、デジタルカメラの動作を説明するためのフローチャート図（２）
【符号の説明】
【００１９】
１００  二次電池
１０１  第一の外部電源の接続部
１０２  第二の外部電源の接続部
１０３  充電制御回路
１０４  電源切替制御回路
１０５  動作ブロック
２００  デジタルカメラ
２０１  パーソナルコンピュータ
２０２  ＡＣ電源
３００  二次電池
３０１  ＵＳＢ電源
３０２  ＡＣ電源
３０３  電源切替制御回路
３０４  充電制御回路
３０５  操作系ブロック
３０６  制御ブロック
３０７  メモリーカード
３０８  ストロボブロック
３０９  メカブロック
３１０  撮像ブロック
３１１  ＬＣＤブロック
【図１】
2006115656.tif 000003
【図２】
2006115656.tif 000004
【図３】
2006115656.tif 000005
【図４】
2006115656.tif 000006
【図５】
2006115656.tif 000007